(57)【要約】【課題】冷却水の流路用の溝が形成されたベースプレートを有する冷却器と所定電圧部とを備える所定ユニットにおける冷却器において、所定電圧部の絶縁性が低下するのを抑制する。【解決手段】冷却器２０は、上面２３に冷却水の流路溝２６が形成され且つ長手方向に傾斜するように配置されたベースプレート２２と、ベースプレート２２の流路溝２６の外周側に配置されたシール部材２８とを有する。高電圧部４０は、ベースプレート２２の下面２４側の、流路溝２６より傾斜方向（長手方向）の低い側で且つ短手方向の一端側に配置される。ベースプレート２２の上面２３の、流路溝２６の傾斜方向（長手方向）の低い側には、短手方向の一端から他端（高電圧部４０から遠い側）に向けて、傾斜方向の低い側に延びるように溝３０が形成されている。【選択図】図２
2016076511.tif 000002
【特許請求の範囲】
【請求項１】
冷却水の流路用の流路溝が上面に形成され且つ第１方向に傾斜するように配置されたベースプレートと、前記ベースプレートの前記流路溝の外周側に配置されたシール部材と、を有する冷却器と、
前記ベースプレートの下面側の、前記流路溝より前記第１方向の低い側で且つ前記第１方向とは直交する第２方向の一端側に配置された所定電圧部と、
を備える所定ユニットにおける冷却器であって、
前記ベースプレートの前記上面の、前記流路溝より前記第１方向の低い側には、前記第２方向の前記一端から他端に向けて、前記第１方向の低い側に延びるように所定溝が形成されている、
ことを特徴とする冷却器。
【発明の詳細な説明】
【技術分野】
【０００１】
本発明は、冷却器に関する。
【背景技術】
【０００２】
従来、ハイブリッド車両用のパワーコントロールユニットとして、ウォータジャケットと、パワーモジュールと、を有するパワーコントロールユニットが提案されている（例えば、特許文献１参照）。ここで、ウォータージャケットは、上面に流路溝が形成された筐体と、筐体の上面を覆うプレート部材と、を有し、冷却流路を構成する。また、パワーモジュールは、モータを駆動するためのインバータ回路，バッテリからの電力を昇圧してインバータ回路に供給するコンバータ回路，コンバータ回路よりバッテリ側の電力ラインに取り付けられた１次側平滑コンデンサ，コンバータ回路よりインバータ回路側の電力ラインに取り付けられた２次側平滑コンデンサなどを有する。ウォータジャケットの筐体は、長手方向に傾斜して配置されており、筐体の長手方向の両端部には、リアクトルに接続されたバスバー，２次側コンデンサの１対の正極端子および１対の負極端子などが配置されている。
【先行技術文献】
【特許文献】
【０００３】
【特許文献１】特開２０１２−１０５３７０号公報
【発明の概要】
【発明が解決しようとする課題】
【０００４】
上述のパワーコントロールユニットでは、冷却流路の周囲のシール部材の劣化などにより冷却水が冷却流路から漏れると、その冷却水が重力により筐体の傾斜方向の低い側に移動する。そして、冷却水が２次側コンデンサの正極端子や負極端子などに到達すると、その部分の絶縁性が低下してしまう可能性がある。
【０００５】
本発明の冷却器は、冷却水の流路用の溝が形成されたベースプレートを有する冷却器と所定電圧部とを備える所定ユニットにおける冷却器において、所定電圧部の絶縁性が低下するのを抑制することを主目的とする。
【課題を解決するための手段】
【０００６】
本発明の冷却器は、上述の主目的を達成するために以下の手段を採った。
【０００７】
本発明の冷却器は、
冷却水の流路用の流路溝が上面に形成され且つ第１方向に傾斜するように配置されたベースプレートと、前記ベースプレートの前記流路溝の外周側に配置されたシール部材と、を有する冷却器と、
前記ベースプレートの下面側の、前記流路溝より前記第１方向の低い側で且つ前記第１方向とは直交する第２方向の一端側に配置された所定電圧部と、
を備える所定ユニットにおける冷却器であって、
前記ベースプレートの前記上面の、前記流路溝より前記第１方向の低い側には、前記第２方向の前記一端から他端に向けて、前記第１方向の低い側に延びるように所定溝が形成されている、
ことを特徴とする。
【０００８】
この本発明の冷却器は、冷却器と所定電圧部とを備える所定ユニットにおける冷却器である。冷却器は、冷却水の流路用の流路溝が上面に形成され且つ第１方向に傾斜するように配置されたベースプレートと、ベースプレートの流路溝の外周側に配置されたシール部材と、を有する。所定電圧部は、ベースプレートの下面側の、流路溝より第１方向の低い側で且つ第１方向とは直交する第２方向の一端側に配置されている。そして、ベースプレートの上面の、流路溝より第１方向の低い側には、第２方向の一端から他端に向けて、第１方向の低い側に延びるように所定溝が形成されている。こうした構成とすることにより、シール部材の劣化などにより流路溝（冷却水の流路）から冷却水が漏れたときに、その漏れた冷却水が所定溝を通って、ベースプレートの第２方向の他端（所定電圧部から遠い側の端部）からベースプレート外に放出されるようにすることができる。この結果、所定電圧部に冷却水が到達するのを抑制することができる。即ち、所定電圧部の絶縁性が低下するのを抑制することができる。ここで、「所定電圧部」は、例えば、高電圧バッテリが接続された高圧側電力ラインの電力を降圧して低電圧バッテリが接続された低圧側電力ラインに供給可能なＤＣ／ＤＣコンバータなどを考えることができる。
【図面の簡単な説明】
【０００９】
【図１】本発明の一実施例としての冷却器２０および高電圧部４０の車両への配置の様子を示す説明図である。
【図２】図１の冷却器２０のベースプレート２２を図１中上側から見た上面図である。
【図３】実施例および比較例の構成において、シール部材の劣化などにより冷却水が流路溝２６（冷却流路）から漏れたときの様子を示す説明図である。
【発明を実施するための形態】
【００１０】
次に、本発明を実施するための形態を実施例を用いて説明する。
【実施例】
【００１１】
図１は、本発明の一実施例としての冷却器２０および高電圧部４０の車両への配置の様子を示す説明図であり、図２は、図１の冷却器２０のベースプレート２２を図１中上側から見た上面図である。ここで、図１は、図２のベースプレート２２および高電圧部４０をＡ−Ａ面から見たＡ−Ａ視図に相当する。また、図２の太矢印は、冷却水の流れを示す。
【００１２】
実施例の冷却器２０は、駆動輪に連結された駆動軸を駆動するためのモータ，モータを駆動するためのインバータ，高電圧バッテリ，高電圧バッテリとインバータとを接続する高圧側電力ラインの電力を降圧して低電圧バッテリが接続された低圧側電力ラインに供給可能なＤＣ／ＤＣコンバータなどと共に車両に搭載されている。この冷却器２０は、モータやインバータ，昇圧コンバータ，ラジエータなどを含む冷却流路を冷却水が流れることにより、これらを冷却する。
【００１３】
冷却器２０は、図１や図２に示すように、ベースプレート２２と、カバー部材（図示せず）と、シール部材２８と、を備える。ベースプレート２２は、図中右側に傾斜するように、即ち、長手方向が傾斜方向となるように配置されている。
【００１４】
ベースプレート２２の上面２３には、流路溝２６が形成されている。この流路溝２６は、ベースプレート２２の図２中左端から図２中右側に延びてＵターンして図２中左端まで延びるＵ字状に形成されている。また、流路溝２６は、ベースプレート２２の上面２３を覆うカバー部材とにより、冷却流路の一部を形成する。
【００１５】
シール部材２８は、流路溝２６の外周側に配置されている。このシール部材２８としては、例えば、Ｏリングなどが用いられる。このシール部材２８は、図１中上端部がベースプレート２２とカバー部材とによって潰されることにより、流路溝２６（冷却流路）の外周をシールする。
【００１６】
高電圧部４０は、ベースプレート２２の下面２４側の、流路溝２６より傾斜方向の低い側（図１，図２中右側）で且つ傾斜方向に直交する方向（短手方向）の一端側（図２中上側）に、配置されている。なお、この高電圧部４０は、例えば、ＤＣ／ＤＣコンバータなどである。
【００１７】
ベースプレート２２の上面２３の、流路溝２６（シール部材２８）より傾斜方向の低い側には、短手方向の一端（図２中上端）から他端（図２中下端）まで直線状に延びるように溝３０が形成されている。この溝３０は、短手方向の一端から他端に向けて、傾斜方向（長手方向）の低い側に延びるように形成されている。なお、溝３０は、直線状ではなく、若干曲線状となるように形成されるものとしてもよい。
【００１８】
こうして構成された実施例の冷却器２０では、以下の功を奏する。ここで、比較例として、溝３０を有しない冷却器２０Ｂを考える。図３は、実施例および比較例の冷却器２０，２０Ｂにおいて、シール部材２８の劣化などにより冷却水が流路溝２６（冷却流路）からシール部材２８を介して漏れたときの様子を示す説明図である。図３（ａ）は、実施例の冷却器２０の場合の様子を示し、図３（ｂ）は、比較例の冷却器２０Ｂの場合の様子を示す。図３（ａ），（ｂ）中、星印は、流路溝２４から冷却水が漏れた位置を示し、点線矢印は、流路溝２６から漏れた冷却水の流れを示す。比較例の冷却器２０Ｂの場合、図３（ｂ）に示すように、冷却水が流路溝２６（冷却流路）からシール部材２８を介して漏れると、その冷却水が重力によりシール部材２８を伝って図３（ｂ）中右側に移動し、シール部材２８の傾斜方向の最低部付近からさらに図３（ｂ）中右側に移動し、その端部から落下して高電圧部４０にかかることがある。冷却水が高電圧部にかかると、その部分の絶縁性が低下してしまう可能性がある。これに対して、実施例の冷却器２０の場合、図３（ａ）に示すように、流路溝２６（冷却流路）から漏れた冷却水が重力によりシール部材２８を伝って図３（ａ）中右側に移動し、シール部材２８の傾斜方向の最低部付近から溝３０に入り、溝３０内を図３（ａ）中下側に移動し、その端部から落下する。即ち、高電圧部４０から離れた位置でベースプレート２２外に放出される。これにより、冷却水が高電圧部４０にかかるのを抑制することができる。この結果、高電圧部４０の絶縁性が低下するのを抑制することができる。
【００１９】
以上説明した実施例の冷却器２０は、上面２３に冷却水の流路溝２６が形成され且つ長手方向に傾斜するように配置されたベースプレート２２とベースプレート２２の流路溝２６の外周側に配置されたシール部材２８とを有する冷却器２０と、ベースプレート２２の下面２４側の、流路溝２６より傾斜方向（長手方向）の低い側で且つ短手方向の一端側に配置された高電圧部４０と、を有する所定ユニットにおける冷却器である。ベースプレート２２の上面２３の、流路溝２６の傾斜方向（長手方向）の低い側には、短手方向の一端から他端に向けて、傾斜方向の低い側に延びるように溝３０が形成されている。したがって、シール部材２８の劣化などにより流路溝２６（冷却流路）からシール部材２８を介して冷却水が漏れたときに、その漏れた冷却水が溝３０に沿って短手方向の他端側（高電圧部４０から離間する側）に移動し、ベースプレート２２外に放出される。これにより、冷却水が高電圧部４０にかかるのを抑制することができる。この結果、高電圧部４０の絶縁性が低下するのを抑制することができる。
【００２０】
実施例の主要な要素と課題を解決するための手段の欄に記載した発明の主要な要素との対応関係について説明する。実施例では、ベースプレート２２が「ベースプレート」に相当し、高電圧部４０が「所定電圧部」に相当し、溝３０が「溝」に相当する。
【００２１】
なお、実施例の主要な要素と課題を解決するための手段の欄に記載した発明の主要な要素との対応関係は、実施例が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、実施例は課題を解決するための手段の欄に記載した発明の具体的な一例に過ぎないものである。
【００２２】
以上、本発明を実施するための形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【００２３】
本発明は、冷却器の製造産業などに利用可能である。
【符号の説明】
【００２４】
２０，２０Ｂ  冷却器、２２  ベースプレート、２３  上面、２４  下面、２６  流路溝、２８  シール部材、３０  溝、４０  高電圧部。
【図１】
2016076511.tif 000003
【図２】
2016076511.tif 000004
【図３】
2016076511.tif 000005